(57)【要約】【課題】挿入部の先端側の温度が上昇してもこれを低下させることができ、防爆規格を満たすことができる放熱アダプタ及び内視鏡装置を提供すること。【解決手段】放熱アダプタ８は、金属からなり、内視鏡３の挿入部２の先端側外表面に密着して接続される円筒部１１と、金属からなり、円筒部１１の外表面に立設され、挿入部２から円筒部１１に伝えられた熱を外部へ放熱する複数のフィン（放熱部）１２とを備えている。円筒部１１には、中心軸線Ｃ方向に延びるスリット１３が設けられ、スリット１３が幅方向に拡縮することによって円筒部１１が弾性変形して挿入部２に着脱自在となっている。フィン１２は、円筒部１１の板厚と略同一の板厚にて矩形状に形成されている。そして、一辺が円筒部１１の中心軸線Ｃ方向に沿って接続されている。【選択図】図２
2007156079.tif 000002
【特許請求の範囲】
【請求項１】
内視鏡の挿入部の先端側外表面に密着して接続される円筒部と、
前記円筒部に接続され、前記挿入部から前記円筒部に伝えられた熱を外部へ放熱する放熱部とを備えていることを特徴とする放熱アダプタ。
【請求項２】
前記円筒部にスリットが設けられ、前記円筒部が弾性変形して前記挿入部に着脱自在となっていることを特徴とする請求項１に記載の放熱アダプタ。
【請求項３】
前記放熱部が、前記円筒部の外表面に立設されたフィンであることを特徴とする請求項１又は２に記載の放熱アダプタ。
【請求項４】
前記放熱部が、前記円筒部よりも薄く、切断可能な板材からなることを特徴とする請求項３に記載の放熱アダプタ。
【請求項５】
前記放熱部が、前記円筒部との間に隙間が形成されるように湾曲した状態で両端が前記円筒部の外表面に対して離隔可能に接続された、弾性変形可能な複数の線材からなることを特徴とする請求項１又は２に記載の放熱アダプタ。
【請求項６】
前記線材の融点が，前記円筒部の融点よりも低いことを特徴とする請求項５に記載の放熱アダプタ。
【請求項７】
前記放熱部が接続される位置が、前記円筒部の先端側になるように、前記円筒部の長さが前記挿入部の手元側に延長されて形成されていることを特徴とする請求項１から６の何れか一つに記載の放熱アダプタ。
【請求項８】
前記放熱部が、可撓性を有して前記円筒部の基端に接続されていることを特徴とする請求項１に記載の放熱アダプタ。
【請求項９】
前記円筒部及び前記放熱部の少なくとも一方の表面が、前記挿入部の表面よりも放熱性が高いことを特徴とする請求項１から８の何れか一つに記載の放熱アダプタ。
【請求項１０】
可撓性を有して細長の挿入部を有する内視鏡と、
請求項１から９の何れか一つに記載の放熱アダプタとを備えていることを特徴とする内視鏡装置。
【請求項１１】
前記挿入部の外表面に穴が設けられ、かつ、前記円筒部に前記穴と同一又は前記穴よりも大きい口径の貫通孔が設けられ、
前記放熱アダプタの外側から前記貫通孔を挿通して前記穴と係合する止め部材を備えていることを特徴とする請求項１０に記載の内視鏡装置。
【発明の詳細な説明】
【技術分野】
【０００１】
本発明は、内視鏡の挿入部の先端側に装着される放熱アダプタ及び放熱アダプタを備える内視鏡装置に関する。
【背景技術】
【０００２】
内視鏡装置が備える内視鏡の挿入部の先端には、レンズ等の光学系部材や、ＬＥＤ、ＣＣＤといった様々な電気部品が配されている。このような内視鏡の挿入部を検査対象となる管部等に挿入する際の挿入性を向上するために、挿入部の先端部にアダプタが装着される場合がある（例えば、特許文献１，２参照。）。
【特許文献１】特開２００３−３３９６３１号公報
【特許文献２】特開２００５−１１８１１４号公報
【発明の開示】
【発明が解決しようとする課題】
【０００３】
しかしながら、何らかの原因によって電気部品が発熱した場合、上記従来の内視鏡装置は、特別な熱対策が施されていないので、挿入部の先端が高温になる可能性がある。従って、高温にともなうレンズのヤケや歪み、接着剤の強度低下による部品の剥がれ等が生じる可能性がある。また、先端にＬＥＤが配されている場合、高温状態が続いた際にはＬＥＤの効率や寿命が低下してしまう。
【０００４】
さらに、周囲に可燃性ガス等がある場合には、防爆規格を満たすことができず、防爆を要する区域で使用することができない。
本発明は上記事情に鑑みて成されたものであり、内視鏡の挿入部の先端側の温度が上昇してもこれを低下させることができ、防爆規格を満たすことができる放熱アダプタ及び内視鏡装置を提供することを目的とする。
【課題を解決するための手段】
【０００５】
本発明は、上記課題を解決するため、以下の手段を採用する。
本発明に係る放熱アダプタは、内視鏡の挿入部の先端側外表面に密着して接続される円筒状の円筒部と、前記円筒部に接続され、前記挿入部から前記円筒部に伝えられた熱を外部へ放熱する放熱部とを備えていることを特徴とする。
【０００６】
また、本発明に係る内視鏡装置は、可撓性を有して細長の挿入部を有する内視鏡と、本発明に係る放熱アダプタとを備えていることを特徴とする。
【０００７】
この発明は、円筒部が内視鏡の挿入部と密着することによって、挿入部と円筒部との間の熱伝導性を向上させることができる。従って、挿入部が何らかの原因によって発熱して高温となっても、円筒部を介して放熱部に熱を伝えて外部に排熱することができる。
【０００８】
また、本発明に係る放熱アダプタは、前記放熱アダプタであって、前記円筒部にスリットが設けられ、前記円筒部が弾性変形して前記挿入部に着脱自在となっていることを特徴とする。
【０００９】
この発明は、スリット幅が変化する方向に円筒部が弾性変形するので、挿入部に対して円筒部を着脱自在に密着させることができる。また、既存の内視鏡の挿入部であっても、その最も発熱する部分を選択して円筒部を装着することができ、しかも放熱量に応じて装着数を調整することができる。さらに、防爆区域でない場所で使用する場合には、容易に取り外すことができる。
【００１０】
また、本発明に係る放熱アダプタは、前記放熱アダプタであって、前記放熱部が、前記円筒部の外表面に立設されたフィンであることを特徴とする。
この発明は、放熱部がフィンなので、外気との接触面積を大きく確保することができ、放熱効率を向上させることができる。また、フィンの大きさや数を調整することによって、所望の放熱量を確保することができる。さらに、フィンの高さを統一することによって、挿入部を進退させる際のセンタリングデバイスとして機能させることができる。
【００１１】
また、本発明に係る放熱アダプタは、前記放熱アダプタであって、前記放熱部が、前記円筒部よりも薄く、切断可能な板材からなることを特徴とする。
この発明は、フィンの先端部を切断することによって放熱量を調節することができ、放熱量に応じた外径にすることができる。また、管の内部を観察する場合、フィンの高さを調節することによって、長孔等の円管以外の管形状にも対応することができる。
【００１２】
また、本発明に係る放熱アダプタは、前記放熱アダプタであって、前記放熱部が、前記円筒部との間に隙間が形成されるように湾曲した状態で両端が前記円筒部の外表面に対して離隔可能に接続された、弾性変形可能な複数の線材からなることを特徴とする。
【００１３】
この発明は、線材が撓むので、放熱部の面積を変えることなく、円筒部を装着した状態で長孔等の円管以外の管の内部に挿入部を挿入させることができ、検査対象を広げることができる。また、線材が円筒部から離隔可能なので、線材が検査対象に引っ掛っても円筒部から離隔させることができ、検査対象の破損を抑えることができる。
【００１４】
また、本発明に係る放熱アダプタは、前記放熱アダプタであって、前記線材の融点が，前記円筒部の融点よりも低いことを特徴とする。
この発明は、線材が円筒部から脱落しても、周囲が高温の場合には線材を溶解させることができ、検査対象への影響を最小限に抑えることができる。
【００１５】
また、本発明に係る放熱アダプタは、前記放熱アダプタであって、前記放熱部が接続される位置が、前記円筒部の先端側になるように、前記円筒部の長さが前記挿入部の手元側に延長されて形成されていることを特徴とする。
この発明は、円筒部に伝わった挿入部先端側の熱を放熱部のみならず、円筒部が装着された位置よりも手元側のより低温の挿入部へ伝えることができる。従って、挿入部先端側の温度をより好適に低下させることができる。
【００１６】
また、本発明に係る放熱アダプタは、前記放熱アダプタであって、前記放熱部が、可撓性を有して前記円筒部の基端に接続されていることを特徴とする。
この発明は、挿入部の湾曲操作に合わせて延長部を湾曲させることができ、挿入部の湾曲操作性を変えずに延長部の外径を必要最小限の大きさにすることができる。この際、延長部の長さを調節することによって、放熱量を調節することができる。
【００１７】
また、本発明に係る放熱アダプタは、前記放熱アダプタであって、前記円筒部及び前記放熱部の少なくとも一方の表面が、前記挿入部の表面よりも放熱性が高いことを特徴とする。
この発明は、円筒部の放熱効果又は放熱部の放熱効果をより高めることができる。
【００１８】
また、本発明に係る内視鏡装置は、前記内視鏡装置であって、前記挿入部の外表面に穴が設けられ、かつ、前記円筒部に前記穴と同一又は前記穴よりも大きい口径の貫通孔が設けられ、前記放熱アダプタの外側から前記貫通孔を挿通して前記穴と係合する止め部材を備えていることを特徴とする。
【００１９】
この発明は、放熱アダプタを挿入部に装着した際、放熱アダプタの円筒部の貫通孔を介して止め部材と挿入部の穴とを係合することによって、放熱アダプタを挿入部により確実に固定して脱落を抑えることができる。
【発明の効果】
【００２０】
本発明によれば、内視鏡の挿入部の先端側の温度が上昇してもこれを低下させることができ、防爆規格を満たすことができる。
【発明を実施するための最良の形態】
【００２１】
本発明に係る第１の実施形態について、図１及び図２を参照して説明する。
本実施形態に係る内視鏡装置１は、可撓性を有して細長の挿入部２を有する内視鏡３と、操作パネル５や検査対象を表示するモニタ６が配された装置本体７と、挿入部２に装着される放熱アダプタ８とを備えている。
【００２２】
挿入部２の先端には、図示しないレンズ等の光学部材や、図示しないＬＥＤやＣＣＤが配された先端アダプタ１０が着脱自在に装着されている。この先端アダプタ１０は、挿入部２と略同一の外径を有している。挿入部２は、先端アダプタ１０の装着部分以外は可撓性を有しており、特に、先端アダプタ１０が装着される部分の近傍は、装置本体７の操作パネル５を操作によって湾曲可能となっている。
【００２３】
放熱アダプタ８は、金属からなり、内視鏡３の挿入部２の先端側外表面に密着して接続される円筒部１１と、金属からなり、円筒部１１の外表面に立設され、挿入部２から円筒部１１に伝えられた熱を外部へ放熱する複数のフィン（放熱部）１２とを備えている。
【００２４】
円筒部１１には、中心軸線Ｃ方向に延びるスリット１３が設けられ、スリット１３が幅方向に拡縮することによって円筒部１１が弾性変形して挿入部２に着脱自在となっている。
フィン１２は、円筒部１１の板厚と略同一の板厚にて矩形状に形成されている。そして、一辺が円筒部１１の中心軸線Ｃ方向に沿って接続されている。
フィン１２の先端隅部は、挿通時に検査対象に引っ掛ることのないようにテーパ状にカットされている。なお、フィン１２の形状は、矩形状に限らず、先端が曲面であっても構わない。
【００２５】
次に、本実施形態に係る放熱アダプタ８及び内視鏡装置１の作用・効果について説明する。
まず、図２（ａ）に示すように、放熱アダプタ８を挿入部２の軸方向から接近させ、スリット１３の幅を広げながら円筒部１１を弾性変形させ、そのまま挿入部２を円筒部１１に挿通する。そして、図２（ｂ）に示すように、円筒部１１の弾性変形を復元することによって、円筒部１１が先端アダプタ１０の外周面に密着して固定される。
【００２６】
この状態で、図示しない、例えば管内等の検査対象に挿入部２を挿入して内部を観察する。ここで、何らかの原因によって先端アダプタ１０内の電子部品が発熱して先端アダプタ１０が高温になった場合、放熱アダプタ８と挿入部２とが密着していることから、その熱が先端アダプタ１０の外表面から放熱アダプタ８の円筒部１１に熱伝導により伝わる。そして、円筒部１１から各フィン１２に熱が逃げ、フィン１２の表面から外気に向って放熱される。
【００２７】
この放熱アダプタ８及び内視鏡装置１によれば、スリット１３の幅が変化する方向に円筒部１１が弾性変形するので、挿入部２に対して円筒部１１を着脱自在に密着させることができる。そして、円筒部１１が内視鏡３の挿入部２と密着することによって、挿入部２と円筒部１１との間の熱伝導性を向上させることができる。従って、挿入部２の熱を円筒部１１を介してフィン１２に熱を伝えて外部に排熱することができる。その結果、挿入部２の先端側の温度が上昇してもこれを低下させることができ、防爆規格を満たすことができる。
【００２８】
また、内視鏡３の挿入部２が既存のものであっても、その最も発熱する部分を選択して円筒部１１を装着することができる。さらに、防爆区域でない場所で使用する場合には、容易に取り外すことができる。また、フィン１２から放熱させるので、外気との接触面積を大きく確保することができ、放熱効率を向上させることができる。また、管路内を検査する場合には、フィン１２の高さを統一することによって、挿入部２を進退させる際のセンタリングデバイスとして機能させることができる。
【００２９】
次に、第２の実施形態について図３を参照しながら説明する。
なお、上述した第１の実施形態と同様の構成要素には同一符号を付すとともに説明を省略する。
第２の実施形態と第１の実施形態との異なる点は、本実施形態に係る放熱アダプタ２０のフィン２１が、円筒部１１の肉厚よりも薄く、図示しない鋏で切断可能な板材からなるとした点である。
【００３０】
この際、図３（ａ）に示すように、フィン２１を切断しない状態で使用してもよく、放熱量に応じて、図３（ｂ）に示すように、フィン２１の先端側を切断して使用してもよい。検査対象に応じて外径を小さくせざるを得ない場合には、放熱アダプタ２０の放熱量を確保するために、フィン２１の一部を切断する代わりにフィン２１の数を増やす。
【００３１】
この放熱アダプタ２０によれば、フィン２１の先端部を切断することによって、フィン２１からの放熱量を調節することができ、放熱アダプタ２０を放熱量に応じた外径にすることができる。また、フィン２１の高さを調節することによって、長孔等の断面が円以外の管形状の管路内部にも挿入することができる。
【００３２】
次に、第３の実施形態について図４及び図５を参照しながら説明する。
なお、上述した第１の実施形態と同様の構成要素には同一符号を付すとともに説明を省略する。
第３の実施形態と第１の実施形態との異なる点は、本実施形態に係る放熱アダプタ３０が、フィン１２の代わりに、円筒部１１との間に隙間が形成されるように湾曲した状態で両端３１ａ，３１ｂが円筒部１１の外表面に対して離隔可能に接続された、弾性変形可能な複数の線材３１を備えているとした点である。
【００３３】
各線材３１は、融点が円筒部１１よりも低く、かつ、例えば、特許文献１，２における挿入補助具やバルーンに使用される樹脂よりも高いものとされ、熱伝導率が大きい非鉄等の金属からなり、円筒部１１の中心軸線Ｃ方向に沿って両端３１ａ，３１ｂが円筒部１１に接続されている。この際、各線材３１は、最も円筒部１１から離間した部分が、中心軸線Ｃに対して同一円周上に並ぶように湾曲されている。また、各線材３１は、円筒部１１の外周に周方向に等間隔に配されている。
【００３４】
この放熱アダプタ３０によれば、線材３１が撓むので、放熱面積を変えることなく、図５に示すように、円筒部１１を装着した状態で断面が長孔等の管３２の内部に挿入部２を挿入させることができ、検査対象を広げることができる。また、線材３１が円筒部１１から離隔可能なので、線材３１が検査対象に引っ掛っても円筒部１１から離隔させることができ、検査対象の破損を抑えることができる。また、線材３１の融点が円筒部１１よりも低いので、線材３１が円筒部１１から脱落しても、周囲が高温の場合には線材３１を溶解させることができ、検査対象への影響を最小限に抑えることができる。一方、線材３１の融点が樹脂よりも高いので、高温の検査対象を観察する場合、検査対象を冷却しなくても挿入部２を挿入して検査することができる。
【００３５】
次に、第４の実施形態について図６及び図７を参照しながら説明する。
なお、上述した第１の実施形態と同様の構成要素には同一符号を付すとともに説明を省略する。
第４の実施形態と第１の実施形態との異なる点は、本実施形態に係る放熱アダプタ４０におけるフィン１２の接続位置が、円筒部４１の先端側となるように、円筒部４１が挿入部２の手元側に延長して形成されているとした点、即ち、放熱アダプタ４０の円筒部４１の中心軸線Ｃ方向の長さを第１の実施形態に係る円筒部１１よりも基端側に延長した点である。
【００３６】
この放熱アダプタ４０の場合、図７に示すように、先端アダプタ１０に配された照明用のＬＥＤ４２から発生した熱は、円筒部４１にまず伝導され、一部が円筒部４１の先端側から基端側に伝わり、さらに円筒部４１の基端側から円筒部４１よりも低温の挿入部２に再び逃げていく。
【００３７】
この放熱アダプタ４０によれば、円筒部４１に伝わった挿入部２先端側の熱をフィン１２のみならず、円筒部４１が装着された位置よりも手元側の、円筒部４１よりも低温の挿入部２へ伝えて排熱することができる。従って、挿入部２の先端側の温度をより好適に低下させることができる。
【００３８】
次に、第５の実施形態について図８を参照しながら説明する。
なお、上述した第１の実施形態と同様の構成要素には同一符号を付すとともに説明を省略する。
第５の実施形態と第１の実施形態との異なる点は、本実施形態に係る放熱アダプタ５０が、フィン１２の代わりに、可撓性を有して、円筒部１１の基端に接続された延長部（放熱部）５１を備えているとした点である。
【００３９】
延長部５１は、円筒部１１とは異なり、編状管となっている。なお、延長部５１の長さは、必要な放熱量に応じて調整される。
この放熱アダプタ５０によれば、挿入部２の湾曲操作に合わせて延長部５１を湾曲させることができ、挿入部２の湾曲操作性を変えずに延長部５１の外径を必要最小限の大きさにすることができる。この際、延長部５１の長さを調節することによって、放熱量を調節することができる。
【００４０】
次に、第６の実施形態について図９を参照しながら説明する。
なお、上述した第１の実施形態と同様の構成要素には同一符号を付すとともに説明を省略する。
第６の実施形態と第１の実施形態との異なる点は、本実施形態に係る放熱アダプタ６０が、放熱部としてフィン１２と第５の実施形態における延長部５１との両方を備えているとした点である。
【００４１】
この放熱アダプタ６０によれば、フィン１２のみならず、延長部５１からも排熱することができ、大きな配熱量を確保することができる。
【００４２】
次に、第７の実施形態について図１０から図１４を参照しながら説明する。
なお、上述した第１の実施形態と同様の構成要素には同一符号を付すとともに説明を省略する。
第７の実施形態と第１の実施形態との異なる点は、本実施形態に係る内視鏡装置７０における内視鏡７１の挿入部７２の外表面に穴７２Ａが複数設けられ、かつ、放熱アダプタ７３の円筒部７５に穴７２Ａよりも大きい口径の貫通孔７５Ａが設けられ、内視鏡装置７０が、貫通孔７５Ａを挿通して穴７２Ａと係合するＥ型止め輪（止め部材）７６を備えているとした点である。
【００４３】
放熱アダプタ７３には、図１０及び図１１に示すように、フィン１２近傍の円筒部７５の円周方向に、Ｅ型止め輪７６の厚さと略同一の幅を有する溝７７が設けられ、貫通孔７５Ａは溝７７内に配されている。
この放熱アダプタ７３を内視鏡７１の挿入部７２に装着する際には、まず、第１の実施形態と同様に挿入部７２を放熱アダプタ７３に嵌入させ、放熱アダプタ７３の貫通孔７５Ａ位置と挿入部７２の穴７２Ａ位置とを一致させる。
【００４４】
次に、図１２に示すように、Ｅ型止め輪７６を放熱アダプタ７３の溝７７に挿入し、Ｅ型止め輪７６に設けられた爪部７６Ａを貫通孔７５Ａに挿通して穴７２Ａに係合させる。こうして、図１３及び図１４に示すように、放熱アダプタ７３を挿入部７２に固定することによって、挿入部７２の外表面と放熱アダプタ７３の円筒部７５の内表面とが密着する。
【００４５】
この放熱アダプタ７３及び内視鏡装置７０によれば、Ｅ型止め輪７６によって放熱アダプタ７３を挿入部７２に確実に固定することができ、挿入部７２からの放熱アダプタ７３の脱落を抑えることができる。この際、円筒部７５に溝７７が形成されているので、Ｅ型止め輪７６の緩みを抑えることができる。
【００４６】
次に、第８の実施形態について図１５を参照しながら説明する。
なお、上述した第１の実施形態と同様の構成要素には同一符号を付すとともに説明を省略する。
第８の実施形態と第１の実施形態との異なる点は、本実施形態に係る放熱アダプタ８０の円筒部８１が、挿入部２に密着する第一円筒部８１Ａと、第１の実施形態に係る円筒部１１と同様の形状を有してフィン１２が接続された第二円筒部８１Ｂとを備えているとした点である。
【００４７】
第一円筒部８１Ａは、第二円筒部８１Ｂと同様に、軸方向に延びるスリット８２が配されて円筒状に形成されており、第二円筒部８１Ｂの内側に嵌合されている。第一円筒部８１Ａと第二円筒部８１Ｂとも、スリット１３，８２の幅が変化する方向にそれぞれ弾性変形可能とされて内径が可変となっている。
第一円筒部８１Ａと第二円筒部８１Ｂとの嵌合面は、周方向に相対移動可能な程度の摩擦係数となっている。
【００４８】
この放熱アダプタ８０によれば、挿入部２に装着した際、挿入部２対して第二円筒部８１Ｂ及びフィン１２が周方向に回転可能なので、検査時にフィン１２が障害物と衝突した際、第二円筒部８１Ｂが第一円筒部８１Ａに対して回転することによって、障害物を回避することができる。従って、障害物がある検査対象であっても観察することができる。
【００４９】
なお、本発明の技術範囲は上記実施の形態に限定されるものではなく、本発明の趣旨を逸脱しない範囲において種々の変更を加えることが可能である。
例えば、上記実施形態では、円筒部、フィン、延長部の各表面の輻射率を特に規定していないが、円筒部、フィン、延長部の少なくとも何れか一つの表面が、挿入部の表面よりも放熱性が高くなるように表面処理されていても構わない。
【００５０】
また、例えば、図１６に示すように、所望する放熱量に応じて、放熱アダプタ９０のフィン９１の長辺の長さを第１の実施形態に係るフィン１２よりも基端側に長くしてもよく、又は、短くしても構わない。同様に、図１７に示すように、フィン１２の数を増やした放熱アダプタ９２としてもよく、又は、フィン１２を減らしても構わない。
さらに、円筒部の構造が簡単なので、図１８（ａ）に示すように、放熱アダプタ９３の円筒部９５の内径を内視鏡９６の挿入部９７に合わせて大きくしたり、図１８（ｂ）に示すように、内視鏡９８の挿入部１００に合わせて、放熱アダプタ１０１の円筒部１０２の内径を小さくしてもよい。
【００５１】
また、円筒部が弾性変形して挿入部に着脱可能に装着されるので、図１９に示すように、放熱アダプタ８を挿入部２に複数配しても構わない。これによって、放熱量を増やすことができる。
【００５２】
また、第７の実施形態以外の場合には、円筒部の弾性変形によって放熱アダプタを挿入部に固定しているが、図２０及び図２１に示すように、スリットの代わりに、円筒部１０３にビス１０５と図示しないナットとを用いて締め付けるための取付部１０６を設け、円筒部１０３に挿入部２を嵌入後、ビス１０５を締め付けて円筒部１０３の内径を調整しながら挿入部２に固定させても構わない。この際、円筒部１０３の弾性力のみにより装着する場合よりも強い締付力にて装着することができ、円筒部１０３と挿入部２とをより密着させて熱伝導率を向上させることができる。
【図面の簡単な説明】
【００５３】
【図１】本発明の第１の実施形態に係る内視鏡装置を示す全体概要図である。
【図２】本発明の第１の実施形態に係る（ａ）放熱アダプタを内視鏡の挿入部に装着する状態を示す説明図、（ｂ）放熱アダプタを挿入部に装着した状態を示す斜視図である。
【図３】本発明の第２の実施形態に係る放熱アダプタを示す斜視図である。
【図４】本発明の第３の実施形態に係る放熱アダプタを内視鏡の挿入部に装着する状態を示す説明図である。
【図５】本発明の第３の実施形態に係る放熱アダプタを内視鏡の挿入部に装着して検査対象に挿入させた状態を示す説明図である。
【図６】本発明の第４の実施形態に係る放熱アダプタを示す斜視図である。
【図７】本発明の第４の実施形態に係る放熱アダプタを内視鏡の挿入部に装着した状態を示す断面図である。
【図８】本発明の第５の実施形態に係る放熱アダプタを内視鏡の挿入部に装着する状態を示す説明図である。
【図９】本発明の第６の実施形態に係る放熱アダプタを内視鏡の挿入部に装着する状態を示す説明図である。
【図１０】本発明の第７の実施形態に係る放熱アダプタを内視鏡の挿入部に装着した状態を示す説明図である。
【図１１】本発明の第７の実施形態に係る放熱アダプタを示す断面図である。
【図１２】本発明の第７の実施形態に係る放熱アダプタを内視鏡の挿入部に装着する状態を示す説明図である。
【図１３】本発明の第７の実施形態に係る内視鏡装置を示す斜視図である。
【図１４】本発明の第７の実施形態に係る内視鏡装置を示す断面図である。
【図１５】本発明の第８の実施形態に係る放熱アダプタを内視鏡の挿入部に装着した状態を示す（ａ）斜視図、（ｂ）回転機構に対して円筒部を回転させた状態を示す斜視図である。
【図１６】本発明の他の実施形態に係る放熱アダプタを示す斜視図である。
【図１７】本発明の他の実施形態に係る放熱アダプタを示す斜視図である。
【図１８】本発明の他の実施形態に係る放熱アダプタを内視鏡の挿入部に装着する状態を示す説明図である。
【図１９】本発明の第１の実施形態に係る放熱アダプタを内視鏡の挿入部に複数装着した状態を示す斜視図である。
【図２０】本発明の他の実施形態に係る放熱アダプタを内視鏡の挿入部に装着した状態を示す斜視図である。
【図２１】本発明の他の実施形態に係る放熱アダプタを内視鏡の挿入部に装着した状態を示す側面図である。
【符号の説明】
【００５４】
１，７０  内視鏡装置
２，７２，９７，１００  挿入部
３，７１，９６，９８  内視鏡
８，２０，３０，４０，５０，６０，７３，８０，９０，９２，９３，１０１，１０７  放熱アダプタ
１１，４１，７５，８１，９５，１０２，１０３  円筒部
１２，２１，９１  フィン（放熱部）
１３  スリット
３１  線材
５１  延長部（放熱部）
７２Ａ  穴
７５Ａ  貫通孔
７６  Ｅ型止め輪（止め部材）
【図１】
2007156079.tif 000003
【図２】
2007156079.tif 000004
【図３】
2007156079.tif 000005
【図４】
2007156079.tif 000006
【図５】
2007156079.tif 000007
【図６】
2007156079.tif 000008
【図７】
2007156079.tif 000009
【図８】
2007156079.tif 000010
【図９】
2007156079.tif 000011
【図１０】
2007156079.tif 000012
【図１１】
2007156079.tif 000013
【図１２】
2007156079.tif 000014
【図１３】
2007156079.tif 000015
【図１４】
2007156079.tif 000016
【図１５】
2007156079.tif 000017
【図１６】
2007156079.tif 000018
【図１７】
2007156079.tif 000019
【図１８】
2007156079.tif 000020
【図１９】
2007156079.tif 000021
【図２０】
2007156079.tif 000022
【図２１】
2007156079.tif 000023